(57)【要約】【課題】色を用いてユーザの属性を表示する方法に関し、更に詳細には、色データを用いてオンラインキャラクターまたは人物の属性を表示する方法を提供する。【解決手段】本発明は、インターネット参加空間において色データを用いてユーザのＩＤを表示する方法であって、（ａ）評価者の端末に作成者に対する評価を行うことができるオンライン評価手段を提供するステップと、（ｂ）前記評価者の端末から前記作成者に対する評価情報を受信するステップと、（ｃ）前記受信した評価情報に基づいて色データを算出するステップと、（ｄ）前記算出した色データを用いて前記作成者のＩＤを表示するステップと、を含むことを特徴とするＩＤ表示方法を提供する。【選択図】図１
2008305389.tif 000002
【特許請求の範囲】
【請求項１】
インターネット参加空間において色データを用いてユーザのＩＤを表示する方法であって、
（ａ）評価者の端末に作成者に対する評価を行うことができるオンライン評価手段を提供するステップと、
（ｂ）前記評価者の端末から前記作成者に対する評価情報を受信するステップと、
（ｃ）前記受信した評価情報に基づいて色データを算出するステップと、
（ｄ）前記算出した色データを用いて前記作成者のＩＤを表示するステップと、
を含むことを特徴とするＩＤ表示方法。
【請求項２】
前記評価情報は、２つの属性に対する両面的評価情報であることを特徴とする請求項１に記載のＩＤ表示方法。
【請求項３】
前記（ｃ）ステップは、
（ｃ１）一次元の色座標系の両端に前記２つの属性をそれぞれ配置するステップと、
（ｃ２）前記評価情報に応じて前記一次元の色座標系上における座標の位置を移動するステップと、
（ｃ３）前記移動した座標の位置に該当する色データを算出するステップと
を含むことを特徴とする請求項２に記載のＩＤ表示方法。
【請求項４】
前記評価情報は、肯定的評価及び否定的評価を含むことを特徴とする請求項１に記載のＩＤ表示方法。
【請求項５】
前記評価情報は、肯定的評価が多い場合には前記作成者のＩＤを青色で表示し、否定的評価が多い場合には前記作成者のＩＤで赤色に表示することを特徴とする請求項４に記載のＩＤ表示方法。
【請求項６】
前記評価情報は、複数個の属性に対する多面的評価情報であることを特徴とする請求項１に記載のＩＤ表示方法。
【請求項７】
前記（ｃ）ステップは、
（ｃ１）多角形の色座標系における各頂点に前記複数個の属性をそれぞれ配置するステップと、
（ｃ２）前記評価情報に応じて前記多角形の色座標系上における座標の位置を移動するステップと、
（ｃ３）前記移動した座標の位置に該当する色データを算出するステップと
を含むことを特徴とする請求項６に記載のＩＤ表示方法。
【請求項８】
前記（ｃ１）ステップは、
前記多角形の色座標系において互いに反対方向にある頂点には、互いに相反する属性を配置することを特徴とする請求項７に記載のＩＤ表示方法。
【請求項９】
前記（ｃ２）ステップは、
互いに相反する属性のうち、一方の方向の値が増加する場合には、反対側の方向の値を減少させることを特徴とする請求項８に記載のＩＤ表示方法。
【請求項１０】
（ｅ）前記評価情報の累積値を表示するステップを更に含むことを特徴とする請求項１に記載のＩＤ表示方法。
【請求項１１】
（ｆ）前記一次元の色座標系上において移動した座標の位置を表示するステップを更に含むことを特徴とする請求項３に記載のＩＤ表示方法。
【請求項１２】
（ｇ）前記多角形の色座標系上において移動した座標の位置を表示するステップを更に含むことを特徴とする請求項７に記載のＩＤ表示方法。
【請求項１３】
前記オンライン評価手段において、評価項目は、作成者が直接定義することができることを特徴とする請求項１に記載のＩＤ表示方法。
【請求項１４】
前記算出した色データは、色相、明度及び彩度データのうち１つ以上を組み合わせることを特徴とする請求項１に記載のＩＤ表示方法。
【請求項１５】
前記（ｃ）ステップは、最近の評価情報に加重値をおくことを特徴とする請求項１に記載のＩＤ表示方法。
【請求項１６】
前記（ｃ）ステップは、同じ評価者により入力された評価情報が、単位期間の間、限界回数を越える場合には、限界回数以下の評価情報のみに基づいて色データを算出することを特徴とする請求項１に記載のＩＤ表示方法。
【請求項１７】
オンラインゲームサーバーにおいて、色データを用いてゲームキャラクターを表示する方法であって、
（ａ）ゲーム参加者の端末に、ゲームキャラクターに対する評価を行うことができるオンライン評価手段を提供するステップと、
（ｂ）前記ゲーム参加者の端末から前記ゲームキャラクターに対する評価情報を受信するステップと、
（ｃ）前記受信した評価情報に基づいて色データを算出するステップと、
（ｄ）前記算出した色データを用いて前記キャラクターを表示するステップと、
を含むことを特徴とするキャラクター表示方法。
【請求項１８】
オンラインゲームサーバーにおいて、色データを用いてゲームキャラクターを表示する方法であって、
（ａ）キャラクターの経験値を計算するステップと、
（ｂ）前記計算された経験値に基づいて色データを算出するステップと、
（ｃ）前記算出した色データを用いて前記キャラクターを表示するステップと、
を含むことを特徴とするキャラクター表示方法。
【請求項１９】
インターネット参加空間において、色データを用いてユーザのＩＤを表示するシステムであって、
評価者の端末に作成者に対する評価を行うことができるオンライン評価手段を提供する評価手段提供部と、
前記評価者の端末から前記作成者に対する評価情報を受信する評価情報受信部と、
前記受信した評価情報に基づいて色データを算出する色データ算出部と、
前記算出した色データを用いて前記作成者のＩＤを表示する表示部と、
を含むことを特徴とするＩＤ表示システム。
【請求項２０】
請求項第１項乃至第１８項のうちいずれか一項に記載された方法の各ステップをコンピュータに実現させるためのプログラムを記録したコンピュータ読取可能な記録媒体。
【発明の詳細な説明】
【技術分野】
【０００１】
本発明は、色を用いてユーザの属性を表示する方法に関し、更に詳細には、色データを用いてオンラインキャラクターまたは人物の属性を表示する方法に関する。
【背景技術】
【０００２】
インターネットの普及により、インターネットウェブサイト上にユーザ等の意見を掲示することができる掲示板が活性化している。このようなインターネット掲示板は、社会の現実に対して批判する空間がなかった多くの人々に自分の意見を述べることができる空間を提供した。特に、書き込みは、利用者らが社会的な問題（issue）に対して意見を交わし、時には他の情報を得ることができる参加の場である。
【０００３】
しかしながら、このようなサイバー書き込み文化には、肯定的、否定的な側面が共に存在する。自由な討論の場になり得る一方で、批判のため批判でなく、非難のため批判の場になることがある。また、書き込みが盛んになればなるほど、書き込みの影響力を悪用しようとする問題点も共に生まれる。
【０００４】
最近主要のポータルサイトであるネイバー（http://www.naver.com/）で実施した「ネイバーニュースの書き込みアンケート」によると、書き込みの主要問題点は、第一に、悪性書き込みを載せるユーザの質の問題、第二に、悪性書き込みに対する処罰など関連法令が不十分である問題、第三に、現在のサービスでは悪性書き込みを防ぐことが不可能であるという書き込みサービス自体の問題、第四に、運営者の管理側面の問題の順に調査された。
【０００５】
このような書き込みの問題点を改善するために、第一に、携帯電話を用いた認証等により本人確認の手続を強化して書き込みの書き方の基準を法制化しようという方案が強く議論されている。
【０００６】
しかしながら、悪性書き込みをなくすために、法規制を強化すれば、むしろ書き込みの活性化を防ぎ、書き込み文化それ自体がなくなる恐れがある。
【０００７】
第二に、運営者の掲示物の削除、懲戒（罰則）の強化、毎日の書き込みの数の制限などにより強化された書き込みの管理を行う方案がある。現在、インターネットウェブサイトの運営者は、１）悪口によって不快感を招く文、２）他人を誹謗したり侮辱する文、３）他人の私生活を侵害したり個人情報を流出する文、４）広告性の文（金儲けサイト、景品配布、商品広告、サイト広報）、５）他人の著作権を侵害したり不法資料の流通に関する文、６）暴力、非行、射幸心を助長する文、７）淪落行為／援助交際の斡旋、提議する文、８）コピーペーストの文（同じ内容の文を繰り返して掲示）及び、９）記事の内容と関係ない文等、をモニタリングして削除している。
【０００８】
しかしながら、運営者の強化された書き込み管理（書き込み規制）も限界があるので、根本的な解決策はなり得ないという問題点がある。
【０００９】
第三に、良い書き込みが目立つ方法に改善する方案がある。これにより、書き込み利用者らが直接推薦して推薦数が多い「ベスト書き込み」を上位に載せる方法が利用されている。しかしながら、記事の内容と関係ない、いわゆる「フィッシング性」の書き込みがベスト書き込みに選定されて、その意味を毀損する事例が多く、最近ではベスト書き込みの選定基準を「推薦数１００回以上」から「推薦率（照会数対応推薦率）」に変更して運営するサイトもある。
【００１０】
しかしながら、このような方法は、「書き込み」自体に対する評価であるだけで、書き込み「作成者」に対する評価でないので、照会数または推薦数が低い状態では良質の書き込みを把握することができない問題点が存在する。また、単純な推薦または申告機能のみでは、書き込みを作成した作成者の様々な側面を多面的に評価することができない問題点が存在した。
【００１１】
従って、書き込み「作成者」に対する累積した評価を表示するだけでなく、書き込み「作成者」に対する多面的な評価が行われるような技術開発の必要性が切実に要望されている。
【００１２】
一方、オンラインゲーム上の仮想空間も目に見えない多くのユーザが集まるため、様々な問題点が発生している。例えば、同盟を結んでゲームをしている途中で勝負に対する過ぎた欲で同じチームを裏切ったり、ゲームの途中で一方的にゲームを終わらせたり、仮想空間での匿名性を悪用して詐欺を働く等の事例が発生している。
【００１３】
従って、オンラインゲームキャラクターに対しても累積した評価を表示するだけでなく、オンラインゲームキャラクターに対する多面的な評価が行われるような技術開発の必要性が切実に要望されている。
【００１４】
また、オンラインゲームキャラクターの場合には、他の参加者等の評価以外に各自の経験値によるキャラクターの属性を簡単な方法で表示する必要性がある。
【００１５】
一方、特許文献１には、ＩＤが重なる問題を防止するために、文字、記号または数字を組み合わせたＩＤに色彩を与えることにより、ＩＤの重複を防止することができる色彩ＩＤシステムが開示されている。しかしながら、該特許文献１は、単に重複するＩＤを区別するための技術であるだけで、ユーザらの評価に基づいて書き込み作成者を容易に認識するための技術ではない。
【００１６】
【特許文献１】韓国特許公開第２０００−０００２７５６号
【発明の開示】
【発明が解決しようとする課題】
【００１７】
そこで本発明は、上述した従来技術の問題点を解決するために、ＷＥＢ２．０の基本概念である参加と共有に基づいてインターネットのユーザ自ら、インターネット参加空間に掲示される意見又は情報を自浄させる（悪性な書き込みを抑制させる）ことを目的とする。
【００１８】
また、本発明の一実施の形態による他の目的は、オンラインゲーム参加者自ら、オンラインゲーム上におけるマナーを自浄させる（向上させる）ことにある。
【００１９】
また、本発明の一実施の形態による更に他の目的は、インターネット参加空間の意見掲示者またはオンラインゲームキャラクターに対する累積した評価を、色データを用いて表示するシステム及び方法を提供することにある。
【００２０】
また、本発明の一実施の形態による更に他の目的は、インターネット参加空間の意見掲示者またはオンラインゲームキャラクターに対する多面的な評価を、色データを用いて表示するシステム及び方法を提供することにある。
【課題を解決するための手段】
【００２１】
本発明の第１の側面に係るＩＤ表示方法は、インターネット参加空間において色データを用いてユーザのＩＤを表示する方法であって、（ａ）評価者の端末に作成者に対する評価を行うことができるオンライン評価手段を提供するステップと、（ｂ）前記評価者の端末から前記作成者に対する評価情報を受信するステップと、（ｃ）前記受信した評価情報に基づいて色データを算出するステップと、（ｄ）前記算出した色データを用いて前記作成者のＩＤを表示するステップと、を含むことを特徴とするＩＤ表示方法を提供する。
【００２２】
本発明の第２の側面によれば、オンラインゲームサーバーにおいて、色データを用いてゲームキャラクターを表示する方法であって、（ａ）ゲーム参加者の端末に、ゲームキャラクターに対する評価を行うことができるオンライン評価手段を提供するステップと、（ｂ）前記ゲーム参加者の端末から前記ゲームキャラクターに対する評価情報を受信するステップと、（ｃ）前記受信した評価情報に基づいて色データを算出するステップと、（ｄ）前記算出した色データを用いて前記キャラクターを表示するステップと、を含むことを特徴とするキャラクター表示方法を提供する。
【００２３】
さらに、本発明の第３の側面によれば、オンラインゲームサーバーにおいて、色データを用いてゲームキャラクターを表示する方法であって、（ａ）キャラクターの経験値を計算するステップと、（ｂ）前記計算された経験値に基づいて色データを算出するステップと、（ｃ）前記算出した色データを用いて前記キャラクターを表示するステップと、を含むことを特徴とするキャラクター表示方法を提供する。
【００２４】
さらに、本発明の第４の側面によれば、インターネット参加空間において、色データを用いてユーザのＩＤを表示するシステムであって、評価者の端末に作成者に対する評価を行うことができるオンライン評価手段を提供する評価手段提供部と、前記評価者の端末から前記作成者に対する評価情報を受信する評価情報受信部と、前記受信した評価情報に基づいて色データを算出する色データ算出部と、前記算出した色データを用いて前記作成者のＩＤを表示する表示部と、を含むことを特徴とするＩＤ表示システムを提供する。
【発明の効果】
【００２５】
上述した本発明の一実施の形態によれば、ＷＥＢ２．０の基本概念である参加と共有に基づいてインターネットユーザ自ら、インターネット参加空間に掲示される意見または情報を自浄させる（悪性な書き込みを抑制させる）ことが可能となる。
【００２６】
また、本発明の一実施の形態によれば、オンラインゲーム参加者自ら、オンラインゲーム上におけるマナーを自浄（向上）させることができる。
【００２７】
また、本発明の一実施の形態によれば、インターネット参加空間の意見掲示者またはオンラインゲームキャラクターに対する累積した評価を色データを用いて明確に区別できるように表示することができる。
【００２８】
また、本発明の一実施の形態によれば、インターネット参加空間の意見掲示者またはオンラインゲームキャラクターに対する多面的な評価を、色データを用いて表示することができる効果がある。
【発明を実施するための最良の態様】
【００２９】
以下、添付の図面を参照して、本発明が属する技術分野において通常の知識を有する者が容易に実施することができるように本発明の実施の形態を詳細に説明する。本発明は、様々な相異する形態で実現することができ、ここで説明する実施の形態に限定されない。また、図面においては、本発明を明確に説明するために、説明と関係ない部分は省略し、明細書全体の類似する部分に対しては類似の図面符号を付する。
【００３０】
また、明細書全体において、ある部分が他の部分と「連結」されていると表現しているときは、「直接的に連結」されている場合だけでなく、その中間に他の素子を挟んで「電気的に連結」されている場合も含む。また、ある部分がある構成要素を「含む」としたとき、これは、特別に反対する記載がない限り、他の構成要素を除外するのではなく、他の構成要素を更に含むことができることを意味する。
【００３１】
本明細書において、「ＩＤ」とは、ユーザを識別するための識別記号としてそれぞれのユーザに与えられた固有の名称又は記号を意味する。よって、英文字と数字を組み合わせた文字列を含むだけでなく、電子メールアドレス、固有識別番号、電話番号などを含むことができる。
【００３２】
図１は、本発明の一実施の形態によるＩＤ表示システムに関する概略的なブロック図である。
【００３３】
本発明の一実施の形態によるＩＤ表示システムは、ウェブサイトサーバー１００、作成者の端末２００、評価者の端末３００、及びネットワーク４００を含む。
【００３４】
図１に示すシステムのいくつかの構成要素は、本願で詳述する必要のない通常的、かつ、よく知られている構成要素を含む。例えば、作成者の端末２００又は評価者の端末３００は、デスクトップパーソナルコンピューター、ワークステーション、ノートブック、ラップトップ、ＰＤＡ、セルラーフォン、キオスク、ＵＭＰＣ（Ｕｌｒａ  Ｍｏｉｌｅ  ＰＣ）、タブリットＰＣ（Ｔａｂｌｅｔ  ＰＣ）、ＤＭＢ（ｄｉｇｉｔａｌ  ｍｕｌｔｉｍｅｄｉａ  ｂｒｏａｄｃａｓｔｉｎｇ）端末、ナビゲーション端末、ゲーム機、ＵＲＣ（Ｕｂｉｑｕｉｔｏｕｓ  Ｒｏｂｏｔｉｃ  Ｃｏｍｐａｎｉｏｎ）、及び種々のエンベッディッドデバイス（ｅｍｂｅｄｄｅｄ  ｄｅｖｉｃｅ）または任意のＷＡＰ−利用可能装置またはインターネットと直接または間接にインターフェースすることができる任意のその他のコンピュータ装置を含むことができる。
【００３５】
作成者の端末２００又は評価者の端末３００は、通常、マイクロソフトインターネットエクスプローラ（登録商標）ブラウザ、ネットスケープナビゲーター（登録商標）ブラウザ、モジラー（Mozilla（登録商標））ブラウザ、オペラ（Opera（登録商標））ブラウザ、又はセルラーフォン、ＰＤＡ、その他の無線装置である場合におけるＷＡＰ−利用可能ブラウザ等を備え、ブラウジングプログラムを実行して作成者の端末２００または評価者の端末３００のユーザがネットワーク４００を介してウェブサイトサーバー１００から利用可能な情報及びページを取得して表示するブラウジング機能を有する。
【００３６】
作成者の端末２００または評価者の端末３００は、通常、ディスプレイ（例えば、モニタ画面、ＬＣＤディスプレイ等）上に、ブラウザが、ウェブサイトサーバー１００が提供するページ、フォーム及び他の情報に関して、提供するＧＵＩ（ｇｒａｐｈｉｃａｌ  ｕｓｅｒ  ｉｎｅｒｆａｃｅ）とインターフェースするためのキーボード、マウス、タッチスクリーン、タッチペンなどのような１つ以上のユーザインターフェース装置を含む。
【００３７】
また、ネットワーク４００は、例えば、インターネットプロトコル(Internet Protocol)技術等を利用して相互接続されたコンピュータネットワーク（インターネット作業空間）を形成するための通信網である。しかしながら、インターネットの代りに、またはインターネット以外にも、イントラネット、エクストラネット、ＶＰＮ（ｖｉｒｔｕａｌ  ｐｒｉｖａｔｅ  ｎｅｔｗｏｒｋ）、ＰＳＴＮ、ＴＣＰ／ＩＰ基盤ネットワーク、任意のＬＡＮまたはＷＡＮなどの他のネットワークが利用できると理解すべきである。ネットワーク４００は、図１に示す各ネットワークの構成主体が互いに円滑に通信を行うことができるようにする包括的な意味のデータ通信網であり、有線インターネット、無線インターネット及びモバイル無線通信網などを含む。
【００３８】
作成者の端末２００または評価者の端末３００は、インターネットなどのネットワーク４００を介してウェブサイトサーバー１００に連結される。作成者の端末２００または評価者の端末３００は、本発明によって任意のウェブサイトサーバー１００と通信するように、例えば、メディアコンテンツ及びウェブページなどのその他の情報にアクセスし、受信して、検索し、表示するように構成される。
【００３９】
一実施の形態によれば、作成者の端末２００または評価者の端末３００及びそのあらゆるコンポーネントは、インテルペンティアムＴＭプロセッサー、ＡＭＤエスロンＴＭプロセッサーなどのようなＣＰＵ（ｃｅｎｔｒａｌ  ｐｒｏｃｅｓｓｉｎｇ  ｕｎｉｔ）または複数のプロセッサーを用いて実行されるコンピュータコードを含むアプリケーションを用いて構成できるオペレーターである。本願に記述されたデータ及びメディアコンテンツを伝達して処理し表示するように作成者の端末２００または評価者の端末３００を運営して構成するためのコンピュータコードは、ハードディスク上に格納されてダウンロードされることが好ましいが、全てのプログラムコードまたはその一部は、ＲＯＭまたはＲＡＭのような、よく知られている任意の他の揮発性または非揮発性メモリ媒体または装置に格納されたり、ＣＤ（ｃｏｍｐａｃｔ  ｄｉｓｋ）媒体、ＤＶＤ（ｄｉｇｉｔａｌ  ｖｅｒｓａｔｉｌｅ  ｄｉｓｋ）媒体、フロッピーディスクなどのようなプログラムコードを格納することができる任意の媒体から提供される。また、全プログラムコード、またはその一部は、インターネットを介して、ソフトウェアソースから、例えば、ウェブサイトサーバー１００のうちの１つからダウンロードされて、作成者の端末２００または評価者の端末３００に転送され、又は任意の通信媒体及びプロトコル（例えば、ＴＣＰ／ＩＰ、ＨＴＴＰ、ＨＴＴＰＳ、イーサネットまたはその他の従来の媒体及びプロトコル）を利用する任意の他のネットワーク接続（例えば、イントラネット、ＶＰＮ、ＬＡＮ、またはその他の従来のネットワーク）に介して伝送される。
【００４０】
本発明の様態を実現するためのプログラムコードは、Ｃ、Ｃ＋＋、ＨＴＭＬ、ＸＭＬ、ジャバ、ジャバスクリプトなどのコードまたは作成者の端末２００または評価者の端末３００上で実行されるか、または作成者の端末２００または評価者の端末３００上に実行されるようにコンパイルできる任意の他の適切なスクリプト言語（例えば、ＶＢスクリプト）、又は任意の他の適切なプログラミング言語であると認識される必要がある。いくつかの実施の形態において、作成者の端末２００または評価者の端末３００には、いずれのコードもダウンロードできず、必要なコードは、ウェブサイトサーバー１００により実行されるか、または作成者の端末２００または評価者の端末３００に既に存在するコードが実行される。
【００４１】
ウェブサイトサーバー１００は、ユーザに「インターネット参加空間」を提供する任意のウェブサーバーであって、「インターネット参加空間」は、掲示板、ブログ、ニュース、ディベートルーム、コミュニティ、知識検索サイト、メッセンジャー、個人のホームページ、ミニホームページ、サイバー市場、インターネット同好会、クラブ、カフェなどを含む。
【００４２】
ウェブサイトサーバー１００は、評価者の端末３００に、作成者（例えば、掲示板に意見を記載するユーザ）に対する評価を行うことができるオンライン評価手段（評価機能）を提供し、評価者の端末３００から当該作成者に対する評価情報を受信して、受信した評価情報に基づいて色データを算出する。その後、ウェブサイトサーバー１００は、算出した色データを用いて作成者のＩＤを表示する。
【００４３】
作成者の端末２００は、ウェブサイトサーバー１００が提供する「インターネット参加空間」に自分の意見または情報を掲示する。掲示される意見または情報は、「テキスト」だけでなく、「動映像」、「音源」、「イメージ」、「ゲーム」などを含み、「動映像」は「ＭＰＥＧ２」、「ＭＰＥＧ４」、「Ｈ．２６４」、「ＷＭＶ」、「ＡＳＦ」、「ＡＶＩ」、「ＤＩＶＸ」、「ＸＶＩＤ」のようなファイルフォーマットまたはコデックスを含んでフレーム単位で動きのある全てのコンテンツと「ＦＬＡＳＨ」ファイルなどを含み、「音源」はＭＰ３、ＯＧＧ、ＷＡＶ、ＷＭＡ、ＡＡＣなどのような音楽ファイルを含む。
【００４４】
評価者の端末３００は、作成者の端末２００を介してインターネット参加空間に掲示された意見または情報に対する評価を行う。この評価は、「推薦」または「申告」のような両面的評価情報、又は「論理的」、「感性的」、「倫理的」、「非倫理的」、「冷笑的」、「積極的」などのような多面的評価情報である。
【００４５】
以下、図２を参照して、本発明の一実施の形態によるウェブサイトサーバー１００の詳細な機能を説明する。図２は、本発明の一実施の形態によるウェブサイトサーバー１００の細部ブロック図である。
【００４６】
本発明の一実施の形態によるウェブサイトサーバー１００は、評価手段提供部１１０、評価情報受信部１２０、色データ算出部１３０、表示部１４０、及びデータベース１５０を含む。
【００４７】
評価手段提供部１１０は、評価者が作成者に対する評価を行うことができるようにオンライン評価手段を評価者の端末３００に提供する。オンライン評価手段は、ウェブサイトサーバー１００の運営者が定義した評価項目及び／または作成者の端末２００の作成者が定義した評価項目を含む。
【００４８】
評価情報受信部１２０は、評価者の端末３００からオンライン評価手段により入力された評価情報を受信してデータベース１５０に格納する。評価情報は、特定作成者を識別することができるＩＤ又はこれ以外の識別子と関連付けて格納されることが好ましい。
【００４９】
色データ算出部１３０は、受信した評価情報に基づいて色データを算出し、これをデータベース１５０に格納する。色データも、やはり特定作成者を識別することができるＩＤ又はこれ以外の識別子と関連付けて格納されることが好ましい。
【００５０】
表示部１４０は、算出又は格納された色データを用いて作成者のＩＤを表示する。
【００５１】
データベース１５０は、ウェブサイトサーバー１００の運営者が設定した評価項目及び／または作成者の端末２００を介して作成者が直接定義した評価項目を格納する。また、上述のように、評価者の端末３００から受信した評価情報及び該評価情報に基づいて色データ算出部１３０で算出した色データを作成者のＩＤなどと関連付けて格納する。
【００５２】
本発明の一実施の形態による評価情報は、互いに相反する２つの属性に対する両面的評価情報を含む。両面的評価情報は、例えば、「推薦」のような肯定的評価と、「申告」のような否定的評価である。この場合に、ウェブサイトサーバー１００の運営者によって「削除」された掲示物も「申告」と類似する否定的評価情報として処理される。
【００５３】
図３は、本発明の一実施の形態による両面的評価手段の一例を示す図である。図３に示すように、評価手段提供部１１０が提供する両面的評価手段（両面的評価画面）は、例えば、「推薦する」アイコン２０と「申告」アイコン３０を含むことができる。
【００５４】
評価者は、評価者の端末３００を介して作成者が登録した意見または情報に対して「推薦する」アイコン２０をクリックするか、または「申告」アイコン３０をクリックする方法で評価を行い、ウェブサイトサーバー１００の評価情報受信部１２０は、評価情報を受信して色データ算出部１３０に伝達する。
【００５５】
色データ算出部１３０は、例えば、「推薦」に該当する肯定的評価情報が多い場合には、青色に該当する色データを算出し、表示部１４０は、算出された色データである青色で作成者のＩＤ１０を表示する。
【００５６】
一方、「申告」または「削除」に該当する否定的評価情報が多い場合には、色データ算出部１３０は、赤色に該当する色データを算出し、表示部１４０は、算出された色データである赤色で作成者のＩＤ１０を表示する。
【００５７】
従って、上述したように評価情報に応じた色（色データ）でＩＤ１０を表示することにより、インターネット掲示板などのインターネット参加空間でＩＤの色相（または明度、彩度）で意見または情報掲示者の属性を直感的に把握することが可能になる。
【００５８】
図４は、色データ算出部１３０の色データ算出方法の一例を示すための図である。
【００５９】
評価情報が両面的評価情報である場合に、色データ算出部１３０は、例えば、一次元の色座標系の両端に互いに相反する２つの属性をそれぞれ配置し、評価情報受信部１２０が受信した評価情報に応じて一次元の色座標系上の座標の位置を移動し、移動した座標の位置に該当する色データを算出することができる。
【００６０】
一次元の色座標系上の色は、色相（ｈｕｅ）、明度（ｉｎｔｅｎｓｉｔｙ）、彩度（ｓａｔｕｒａｔｉｏｎ）のうち１つ以上を組み合わせて構成することができる。
【００６１】
例えば、色相のみを用いる場合には、一次元の色座標系の右側から左側に赤色、オレンジ色、黄色、緑色、青色が段階的に変化（ｇｒａｄａｔｉｏｎ）するように配置する。
【００６２】
または、一次元の色座標系の左側には青色を配置し、右側には赤色を配置し、中心部には黒色を配置することもできる。この場合には、左側から中心部に行くほど、青色の明度が段々低くなって黒色になり、右側から中心部に行くほど、赤色の明度が段々低くなって黒色になるようにすることができる。
【００６３】
一次元の色座標系上の色を配置する方法は、当業者が任意に選択可能な事項であるため、詳細な説明は省略する。
【００６４】
以下、一次元の色座標系の左側には青色、右側には赤色、中心部には黒色が配置された場合を説明する。ここで、青色は「推薦」を意味し、赤色は「申告」または「削除」を意味する。
【００６５】
作成者に対する評価情報がない場合、作成者が載せた掲示物には作成者のＩＤがデフォルトで黒色に表示される。その後、評価者の端末３００から「推薦」に該当する評価情報が受信された場合には、座標位置を中心部から左側方向へ移動させ、「申告」または「削除」に該当する評価情報が受信された場合には、座標位置を中心部から右側方向へ移動させる。
【００６６】
従って、「推薦」に該当する評価情報が多いほど、作成者のＩＤがより一層明るい青色で表示され、「申告」に該当する評価情報が多いほど、作成者のＩＤがより一層明るい赤色で表示される。つまり、一次元座標系の各座標位置と色データとを対応させて格納し、図４の例のように、推薦５、申告１０の場合に中心を０とすると、最終的な座標位置は−５となり、−５に対応する予め設定された赤色系の色データを算出することができる。この図４の例の状態から、推薦の評価情報が増加すると、座標位置が左側に移動し、対応する色データが算出（抽出）されることになる。
【００６７】
座標位置の移動は、最近の評価情報に加重値をおく方法で処理されることもできる。例えば、一定期間が過ぎた評価情報には加重値「１」を乗算し、一定期間以内の評価情報には加重値「２」を乗算する方法で処理することができる。
【００６８】
最近の評価情報に加重値を付加する方法も当業者が任意に選択可能な事項であるため、詳細な説明は省略する。
【００６９】
図３において、インターネット利用者が作成者または意見掲示者のＩＤ１０をクリックする場合、表示部１４０は、図４に示すように、評価情報の累積値を表示することができる。また、一次元の色座標系上における座標位置を表示することができる。
【００７０】
本発明の一実施の形態による評価情報は、互いに相反する複数の属性に対する多面的評価情報を含むことができる。多面的評価情報は、例えば、「論理的」、「感性的」、「倫理的」、「非倫理的」、「冷笑的」、「積極的」などのような評価項目を含む。評価項目は、ウェブサイトサーバー１００で設定することもできるが、作成者（評価を受けるユーザ自身）が評価項目を直接定義する方法も可能である。例えば、ユーザ自分のミニホームページやブログ等でユーザが直接自分を評価する項目を定義し、これによる評価が行われるようにすることができる。
【００７１】
図５は、本発明の一実施の形態による多面的評価手段の一例を示す図である。図５に示すように、評価者は、評価者の端末３００において、ウェブサイトサーバー１００の評価手段提供部１１０が提供する多面的評価手段（多面的評価機能）により、意見掲示者が登録した意見または情報に対して、「論理的―感性的」、「倫理的−非倫理的」、「冷笑的−積極的」のような相反する属性に対する評価を選択した後、「登録」アイコン４０をクリックする等の方法で評価を行なう。ウェブサイトサーバー１００の評価情報受信部１２０は、評価者の端末３００から評価情報を受信して色データ算出部１３０に伝達する。
【００７２】
図６Ａ及び図６Ｂは、色データ算出部１３０が色データを算出するために用いられる六角形の色座標系の一例を示す図、図７は、星状の色座標系の一例を示す図、図８は、円状の色座標系の一例を示す図である。
【００７３】
色座標系は、図６Ａまたは図６Ｂに示すように多角形の形態、図７に示すような星状の形態、又は図８に示すような円状の形態で構成することができる。色座標系は、当業者が任意に選択可能な事項であるため、詳細な説明は省略する。
【００７４】
以下、図６Ａの六角形の色座標系を例に挙げて本発明の一実施の形態を説明する。ここで、本発明は必ずこれに限定されないことを当業者は容易に理解することができるのである。
【００７５】
色データ算出部１３０は、六角形の色座標系の各頂点に複数個の属性をそれぞれ配置し、受信した評価情報に応じて六角形の色座標系上の座標を移動し、移動した座標位置に該当する色データを算出する。
【００７６】
図６Ａに示す色座標系には、色相と彩度のみを使用したが、多角形の色座標系上の色は、色相、明度及び彩度のうち１つ以上を組み合わせて構成することができる。
【００７７】
六角形の色座標系において、互いに反対方向にある頂点には互いに相反する属性を配置し、各頂点の左右には互いに相関関係のある属性を配置することができる。図６Ａには、上部頂点に「感性的」属性を、上部頂点の反対方向にある下部頂点には「論理的」属性を配置した。また、上部頂点の右側にある右側上部頂点には「積極的」属性を、右側上部頂点の反対方向にある左側下部頂点には「冷笑的」属性を、上部頂点の左側にある左側上部頂点には「非倫理的」属性を、左側上部頂点の反対方向にある右側下部頂点には「倫理的」属性を配置した。
【００７８】
作成者に対する評価情報がない場合には、初期座標は色座標系の中心（黒色）に位置する。
【００７９】
六角形の色座標系において、座標値は３個存在することもあり、６個存在することもある。以下、図６Ａを参照して、座標値が３個存在する場合を説明する。
【００８０】
評価者の端末３００から「感性的」に該当する評価情報が受信された場合、色データ算出部１３０は、「感性的」と「論理的」を連結する軸上において、第１座標を中心部から「感性的」に該当する頂点方向へ移動させ、「論理的」に該当する評価情報が受信された場合には、第１座標を「論理的」に該当する頂点方向へ移動させる。図６Ａには、受信した評価情報に応じて移動した第１座標が「感性的」と「論理的」を連結する軸上において、第１座標値「-４」を有するものが示されている。
【００８１】
上記と同様の方法で、第２座標は、「積極的」と「冷笑的」を連結する軸上で第２座標値「−３」を有し、第３座標は、「非倫理的」と「倫理的」を連結する軸上で第３座標値「＋２」を有する。
【００８２】
色データ算出部１３０は、第１〜第３座標値に基づいて、色データを算出する。例えば、第１座標値「−４」に該当する第１色データ値「３３６６９９」、第２座標値「−３」に該当する第２色データ値「６６ＣＣ９９」、及び第３座標値「＋２」に該当する第３色データ値「ＣＣＦＦ９９」の平均値を算出することができる。また、他の方法では、第１〜第３座標が形成する三角形の内部の色データ値の平均値または中心値を求めることもできる。
【００８３】
上述したように色データを算出する方法は一例であるだけであり、色データ値を算出する方法は、当業者が任意に選択可能な事項であるため、詳細な説明は省略する。
【００８４】
以下、図６Ｂを参照して、六角形の色座標系において座標値が６個存在する場合を説明する。
【００８５】
評価者の端末３００から「感性的」に該当する評価情報が受信された場合、色データ算出部１３０は、「感性的」と「論理的」を連結する軸上において、第１座標を中心部から「感性的」に該当する頂点方向へ移動させ、「論理的」に該当する評価情報が受信された場合には、第２座標を「論理的」に該当する頂点方向へ移動させる。
【００８６】
図６Ｂには、評価者の評価情報に応じて移動した第１座標と第２座標が「感性的」と「論理的」を連結する軸上において第１座標値「＋６」と第２座標値「−３」を有するものが示されている。
【００８７】
上記と同様の方法で、「積極的」と「冷笑的」を連結する軸上において、第３座標は第３座標値「＋３」を有し、第４座標は第３座標値「−５」を有する。
【００８８】
また、「非倫理的」と「倫理的」を連結する軸上において、第５座標は第５座標値「＋５」を有し、第６座標は第６座標値「−３」を有する。
【００８９】
色データ算出部１３０は、第１〜第６座標値に基づいて、色データ値を算出する。例えば、第１座標値〜第６座標値に該当する第１色データ値〜第６色データ値の平均値を求めることができる。また、他の例としては、第１〜第６座標が形成する六角形の内部の色データ値の平均値または中心値を求めることができる。
【００９０】
上述したように第１座標〜第６座標を独立して移動させる場合には、互いに相反する属性が同時に大きい値を有することが理論的に発生することができる。従って、互いに反対する属性のうち一方の方向の値が増加する場合には、反対方向の値を減少させる方法が適用される。
【００９１】
例えば、色データ算出部１３０は、「感性的」に該当する評価情報を受信した場合、第１座標値を「２」だけ増加させる。その後、「論理的」に該当する評価情報を受信した場合には、第２座標値を「２」だけ増加させると共に、第１座標値を「１」だけ減少させる。すなわち、最近受信した評価情報に該当する座標値を「２」だけ増加させて、反対方向の属性値を「１」だけ減少させる。
【００９２】
上述したように色データを算出する方法は、説明の便宜のための例示であるだけで、これ以外の様々な方法が用いられることは当業者であれば容易に理解することができるであろう。
【００９３】
多面的評価においても、座標位置の移動は、最近の評価情報に加重値を付与する方法で処理することもできる。例えば、一定期間が過ぎた評価情報には、加重値「１」をかけ、一定期間以内の評価情報には、加重値「２」をかける方法で処理することができる。最近の評価情報に加重値を付与する方法は、当業者が任意に選択可能な事項であるため、詳細な説明は省略する。
【００９４】
図５に示すように、インターネット利用者が作成者のＩＤ５０をクリックすると、表示部１４０は、多面的評価情報の累積値を表示することができる。また、六角形の色座標系上においてそれぞれの座標の位置を表示することができる。
【００９５】
従って、インターネット利用者の画面にディスプレイされる評価情報の累積値及び色座標系上の座標位置により、作成者または意見掲示者の属性を一目で把握することが可能になる。
【００９６】
以下、図９を参照して、本発明の一実施の形態による色データを用いてＩＤを表示する方法ついて説明する。図９は、本発明の一実施の形態による色データを用いてＩＤを表示する方法を説明するためのフローチャートである。
【００９７】
ウェブサイトサーバー１００は、評価者の端末３００に作成者が掲示した意見または情報に対する評価を行うことができるオンライン評価手段を提供する（Ｓ１００）。
【００９８】
評価者は、評価者の端末３００において、オンライン評価手段（オンライン評価画面）を通じて作成者に対する評価情報を入力する（Ｓ１１０）。
【００９９】
ウェブサイトサーバー１００は、評価者の端末３００から評価情報を受信し、受信した評価情報に基づいて色データを算出する（Ｓ１２０）。
【０１００】
その後、ウェブサイトサーバー１００は、算出された色データを用いて作成者のＩＤを表示する（Ｓ１３０）。
【０１０１】
以下、図１０を参照して、本発明の一実施の形態による両面的評価情報に基づいた色データ算出方法ついて説明する。図１０は、本発明の一実施の形態による両面的評価情報に基づいた色データ算出方法を説明するためのフローチャートである。
【０１０２】
評価情報が両面的評価情報である場合、色データ算出部１３０は、一次元の色座標系の両端に２つの属性をそれぞれ配置する（Ｓ１２０１）。その後、評価者の端末３００から評価情報が受信された場合に、受信した評価情報に応じて一次元の色座標系上の座標の位置を移動させ（Ｓ１２０２）、移動した座標の位置に該当する色データを算出する（Ｓ１２０３）。
【０１０３】
以下、図１１を参照して、本発明の一実施の形態による多面的評価情報に基づく色データ算出方法ついて説明する。図１１は、本発明の一実施の形態による多面的評価情報に基づく色データ算出方法を説明するためのフローチャートである。
【０１０４】
評価情報が多面的評価情報である場合、色データ算出部１３０は、多角形の色座標系における各頂点に複数個の属性をそれぞれ配置する（Ｓ１２１１）。その後、評価者の端末３００から評価情報が受信された場合、受信した評価情報に応じて多角形の色座標系上における座標の位置を移動させ（Ｓ１２１２）、移動した座標の位置に該当する色データを算出する（Ｓ１２１３）。
【０１０５】
以下、図１２を参照して、本発明の一実施の形態による評価情報の表示方法ついて説明する。図１２は、本発明の一実施の形態による評価情報の表示方法を説明するためのフローチャートである。
【０１０６】
作成者は、作成者の端末２００を介してウェブサイトサーバー１００が運営するウェブサイト上に作成者自分の意見または情報を登録する（Ｓ２００）。
【０１０７】
ウェブサイトサーバー１００は、データベースから作成者のＩＤに対応する色データを抽出し、抽出した色データを用いて作成者のＩＤを表示する（Ｓ２１０）。
【０１０８】
インターネット利用者は、インターネット掲示板などにおいて作成者に対する評価情報の照会を所望する場合、ユーザの端末などを介して作成者のＩＤをクリックする（Ｓ２２０）。
【０１０９】
ウェブサイトサーバー１００は、データベースから作成者のＩＤに対応する評価情報の累積値を抽出して、これを表示する（Ｓ２３０）。また、色座標系上に評価情報に応じる座標位置を表示することもできる（Ｓ２４０）。
【０１１０】
このように、本発明によるＩＤ表示方法は、評価情報に応じて算出された色データを用いてＩＤを表示する構成をしている。従って、評価情報を操作したり繰り返して評価を行なうことにより、特定作成者に対する推薦数を多くしたり、申告数を多くすることが可能である。
【０１１１】
従って、本発明の一実施の形態によるＩＤ表示方法は、運営者から所定の単位期間に対応する限界回数を入力されるステップ、単位期間の間に特定評価者が特定作成者に対する評価情報を入力した入力回数をカウントするステップ、及び入力回数が限界回数以下である場合にのみ、作成者の評価情報を反映するステップを更に含むことができる。
【０１１２】
前記単位期間は、「１日」または「１週間」などに、運営者により任意に選択することができる。このような構成によれば、上述のように任意に推薦または申告回数を急激に増加させることを防止することができる。特定評価者に対する同一性の判断は、ＩＤを利用することもでき、ＩＰアドレスを利用することもできる。
【０１１３】
以上では算出した色データを用いて作成者のＩＤを表示する方法のみを説明したが、作成者を識別することができる手段であれば、作成者のＩＤだけでなく、電子メールアドレス、ＩＰアドレス、電話番号などいずれでも良い。
【０１１４】
また、以上では説明の便宜上、インターネット掲示板などのインターネット参加空間を提供するウェブサイトサーバー１００に限って本発明を説明したが、本発明がウェブサイトサーバー１００のみを対象にするものではない。当業者であれば、本発明がオンラインゲームサーバーにも拡張適用が可能であることを容易に理解することができるであろう。
【０１１５】
本発明がオンラインゲームサーバーに適用される場合、オンラインゲームサーバーは、上記ウェブサイトサーバー１００と同様に、ゲームキャラクターの属性を表現することができる。
【０１１６】
オンラインゲームサーバーは、オンラインゲーム参加者の端末に他の参加者のゲームキャラクターに対する評価を行うことができるオンライン評価手段を提供することができる。
【０１１７】
オンラインゲーム参加者は、オンライン評価手段により他の参加者に対する評価情報を入力する。オンラインゲームサーバーは、評価情報を受信し、受信した評価情報に基づいてゲームキャラクターの色データを算出する。
【０１１８】
その後、オンラインゲームサーバーは、算出した色データを用いてゲームキャラクターを表示したり、ゲームキャラクターのＩＤを表示する。
【０１１９】
なお、ウェブサイトサーバーとは異なり、オンラインゲームサーバーは、ゲーム参加者からの評価情報ではなく、ゲームキャラクターの経験値によって算出された色データを用いて、ゲームキャラクターを表示したり、ゲームキャラクターのＩＤを表示することができる。
【０１２０】
オンラインゲームサーバーは、キャラクターの経験値を計算し、計算された経験値に基づいて色データを算出し、算出された色データを用いてキャラクターまたはキャラクターのＩＤを表示する。
【０１２１】
この場合、経験値の高いゲームキャラクターと、経験値の低いゲームキャラクターを互いに異なる色データを用いて明確に区別されるように表示することが可能になる。
【０１２２】
また、育成ゲームなどの場合には、様々な側面での経験値によって、ゲームキャラクターの多面的属性を色座標系上で表示する方法も可能である。
【０１２３】
このように本発明のＩＤ表示システムは、インターネット参加空間の意見掲示者またはオンラインゲームキャラクターに対する評価情報、すなわち、インターネットに参加する他のユーザを評価する機能を提供するとともに、該評価に基づいて各ユーザを色データを用いて明確に区別できるように表示する。
【０１２４】
つまり、悪意ある掲示を行ったユーザやマナーの悪いユーザがインターネット上で識別されるため、ユーザは、自身又は他のユーザがインターネット上でどのように評価されているか一目で分かり、悪意ある掲示を抑制させ、かつゲームマナーを向上させることが加納となる。
【０１２５】
本発明は、コンピュータによって実行されるプログラムモジュールのようなコンピュータにより実行可能な命令語を含む記録媒体の形態にも実現され得る。コンピュータ読取可能媒体は、コンピュータによってアクセスできる任意の可用媒体であり得、揮発性及び非揮発性媒体、分離型及び非分離型媒体を全て含む。また、コンピュータ読取可能媒体は、コンピュータ格納媒体及び通信媒体を全て含むことができる。コンピュータ格納媒体は、コンピュータ読取可能命令語、データ構造、プログラムモジュールまたはその他のデータのような情報の格納のための任意の方法または技術で実現された揮発性及び非揮発性、分離型及び非分離型媒体を全て含む。通信媒体は、典型的にコンピュータ読取可能命令語、データ構造、プログラムモジュール、または搬送波のような変調されたデータ信号のその他のデータ、またはその他の伝送メカニズムを含み、任意の情報伝達媒体を含む。
【０１２６】
本発明の方法及びシステムは、特定の実施の形態と関連して説明されたが、それらの構成要素または動作の一部または全部は、汎用ハードウェアアーキテクチャーを有するコンピュータシステムを使用して実現することができる。図１３は、本発明を実現したアプリケーションまたはソフトウェアを実行するために用いられるコンピュータシステムアーキテクチャーの一例を示す図である。一実施の形態において、ハードウェアシステム８００は、プロセッサー８１０、キャッシュ８１５、メモリ８１５及び上述した機能に関連した１つ以上のソフトウェアアプリケーション及びドライバを含む。
【０１２７】
さらに、ハードウェアシステム８００は、高性能入力／出力（Ｉ／Ｏ）バス８４０及び標準Ｉ／Ｏバス８７０を含む。ホストブリッジ８２０は、プロセッサー８１０を高性能Ｉ／Ｏバス８４０に結合させ、Ｉ／Ｏバスブリッジ８５０は、２つのバス８４０及び８７０を相互結合させる。システムメモリ８６０及びネットワーク／通信インターフェース８３０は、高性能Ｉ／Ｏバス８４０に結合される。ハードウェアシステム８００は、ビデオメモリ（図示せず）及びそのビデオメモリに結合されるディスプレイ装置を更に含むことができる。大容量記憶装置８３０及びＩ／Ｏポート８９０は、標準Ｉ／Ｏバス８７０に結合される。ハードウェアシステム８００は、キーボード及びポインティングデバイス（ｐｏｉｎｔｉｎｇ  ｄｅｖｉｃｅ）、そして標準Ｉ／Ｏバス８７０に結合されるディスプレイ装置（図示せず）を選択的に含むことができる。総括的に、このような要素らは、広い範囲のコンピュータハードウェアシステムを表現するように意図され、カリフォルニア州サンタクララのインテル社によって製造されたＰｅｎｔｉｕｍＴＭプロセッサーだけでなく、他の適切なプロセッサーに基盤する汎用コンピュータシステムを含むのであるが、これに制限されない。
【０１２８】
ハードウェアシステム８００の構成要素らは、以下で詳細に説明する。詳細には、ネットワークインターフェース８３０は、ハードウェアシステムとイーサネット（例えば、ＩＥＥＥ８０２．３）ネットワークなどのような任意の広い範囲のネットワーク間の通信を提供する。本発明の色彩ＩＤ表示システムの場合、ネットワークインターフェース８３０は、ハードウェアシステム８００とネットワークとの間を接続して、ハードウェアシステム８００がそれらのデータベースを管理するようにする。大容量記憶装置８３０は、データとプログラミング命令のための永久記憶装置を提供して、本発明の色彩ＩＤ表示システムにおいて実現される上述した機能を遂行し、システムメモリ８６０（例えば、ＤＲＡＭ）は、プロセッサー８１０によって行われるとき、データ及びプログラミング命令のための臨時記憶装置を提供する。Ｉ／Ｏポート８９０は、ハードウェアシステム８００に結合され得る追加的周辺装置間の通信を提供する１つ以上の直列及び／または並列通信ポートである。
【０１２９】
ハードウェアシステム８００は、様々な種類のシステムアーキテクチャーを含むことができ、ハードウェアシステム８００の様々な構成要素が再配置されることができる。例えば、キャッシュ８１５は、プロセッサー８１０に組み込まれることができる。選択的に、キャッシュ８１５及びプロセッサー８１０は、「プロセッサーモジュール」として共に構成され得、このとき、プロセッサー８１０は、「プロセッサーコア」として称され得る。また、本発明の特定の実施の形態は、上述した構成要素の全てを要求したり、または含まないことがある。例えば、標準Ｉ／Ｏバス８７０に結合されるものとして示された周辺装置らは、高性能Ｉ／Ｏバス８４０に結合することができる。さらに、任意の実施の形態において、１つのみのバスが存在することができ、ハードウェアシステム８００の構成要素らは、その１つのバスに結合されることができる。さらに、ハードウェアシステム８００は、追加のプロセッサー、記憶装置またはメモリのような追加的構成要素を含むことができる。以下で論議されるように、一実施の形態において、本発明の色彩ＩＤ表示システムの動作は、ハードウェアシステム８００によって駆動される一連のソフトウェアルーチンとして実施されることができる。このようなソフトウェアルーチンは、プロセッサー８１０のようなハードウェアシステムでプロセッサーによって実行されることができる複数または一連の命令を含む。まず、一連の命令は、大容量記憶装置８８０のような記憶装置に格納される。しかし、一連の命令は、ディスケット、ＣＤ−ＲＯＭ、ＲＯＭ、ＥＥＰＲＯＭなどのような任意の適切な記憶媒体に格納され得る。さらに、一連の命令は、局所的に格納される必要がなく、ネットワーク／通信インターフェース８３０を介してネットワーク上のサーバーなどのような遠隔記憶装置から受信され得る。これらの命令は、大容量記憶装置８８０のような記憶装置からメモリ８６０に複写され、プロセッサー８１０によってアクセスされて実行される。
【０１３０】
運営システムは、ソフトウェアアプリケーション（図示せず）とのデータの入力／出力を含むハードウェアシステム８００の動作を管理して制御する。運営システムは、システム上で実行されるソフトウェアアプリケーションと、システムのハードウェア構成要素との間のインターフェースを提供する。本発明の一実施の形態による運営システムは、マイクロソフト社のＷｉｎｄｏｗｓＴＭ  ９５／９８／ＮＴ／ＸＰ／ＶＩＳＴＡの運営システムである。しかしながら、本発明は、アップルコンピュータ社のアップルマッキントッシュ運営システム、ユニックス（ＵＮＩＸ）運営システム、リヌックス（ＬＩＮＵＸ）運営システムなどのような他の適切な運営システムでも用いられることができる。
【０１３１】
以上、本発明の詳細な説明では具体的な実施形態について説明したが、本発明の要旨から逸脱しない範囲内で多様に変形できる。よって、本発明の権利範囲は、上述の実施形態に限定されるものではなく、特許請求の範囲の記載及びこれと均等なものに基づいて定められるべきである。
【図面の簡単な説明】
【０１３２】
【図１】本発明の一実施の形態に係るＩＤ表示システムに関する概略的なブロック図である。
【図２】本発明の一実施の形態に係るウェブサイトサーバーの細部ブロック図である。
【図３】本発明の一実施の形態に係る両面的評価手段の一例を示す図である。
【図４】色データ算出部の色データ算出方法の一例を示すための図である。
【図５】本発明の一実施の形態に係る多面的評価手段の一例を示す図である。
【図６Ａ】色データ算出部が色データを算出するために用いられる六角形の色座標系の一例を示す図である。
【図６Ｂ】色データ算出部が色データを算出するために用いられる六角形の色座標系の一例を示す図である。
【図７】色データ算出部が色データを算出するために用いられる星状の色座標系の一例を示す図である。
【図８】色データ算出部が色データを算出するために用いられる円状の色座標系の一例を示す図である。
【図９】本発明の一実施の形態に係る色データを用いてＩＤを表示する方法を説明するためのフローチャートである。
【図１０】本発明の一実施の形態に係る両面的評価情報に基づく色データの算出方法を説明するためのフローチャートである。
【図１１】本発明の一実施の形態に係る多面的評価情報に基づく色データの算出方法を説明するためのフローチャートである。
【図１２】本発明の一実施の形態に係る評価情報の表示方法を説明するためのフローチャートである。
【図１３】本発明の一実施の形態を実現したソフトウェアを実行するために用いられるコンピュータシステムアーキテクチャーの一例を示す図である。
【符号の説明】
【０１３３】
１００  ウェブサイトサーバー
２００  作成者の端末
３００  評価者の端末
４００  ネットワーク
【図１】
2008305389.tif 000003
【図２】
2008305389.tif 000004
【図３】
2008305389.tif 000005
【図４】
2008305389.tif 000006
【図５】
2008305389.tif 000007
【図６Ａ】
2008305389.tif 000008
【図６Ｂ】
2008305389.tif 000009
【図７】
2008305389.tif 000010
【図８】
2008305389.tif 000011
【図９】
2008305389.tif 000012
【図１０】
2008305389.tif 000013
【図１１】
2008305389.tif 000014
【図１２】
2008305389.tif 000015
【図１３】
2008305389.tif 000016